(57)【要約】【課題】電源供給停止時に、アクチュエータを適切な速度で退避位置に移動させ、安定したヘッドのリトラクト動作を行うことが可能なディスク装置を提供する。【解決手段】アクチュエータ７と、アクチュエータ７の駆動コイル５に発生する電圧信号Ｖａを出力する電圧検出器１１と、その電圧信号Ｖａに応じたリトラクト制御信号ｕｒを出力するリトラクト制御器１３と、リトラクト制御信号ｕｒが入力されアクチュエータ７を駆動する駆動器１０とを有し、シーク動作時における電圧信号Ｖａをメモリーに保存し、電源供給が停止されたとき、メモリーに記憶された電圧信号Ｖａをもとに、リトラクト動作における第１のリトラクト電圧Ｖ１および第２のリトラクト電圧Ｖ２を算出し、シーク時と等しい駆動電圧を駆動コイルに印加して、磁気ヘッド２を所定の退避位置へ退避させるようにした構成を有する。【選択図】図１
2006323930.tif 000002
【特許請求の範囲】
【請求項１】
ディスク状記録媒体と、
前記ディスク状記録媒体を回転させるスピンドルモータと、
ボイスコイルモータを構成する駆動コイルと前記駆動コイルが設けられたアームと前記アームに取り付けられたヘッドとを有し、前記ディスク状記録媒体の半径方向に回転自在に軸支されたアクチュエータと、
前記アクチュエータの駆動に伴って、前記駆動コイルに発生する電圧を検出し、かつ、前記電圧を電圧信号として出力する電圧検出手段と、
前記ヘッドのシーク動作時における前記電圧信号の値を記憶する電圧記憶手段と、
前記電圧記憶手段により記憶された前記電圧信号の値に応じた制御信号を生成し、かつ、前記制御信号を電源の遮断時に出力するリトラクト制御手段と、
前記制御信号が入力され、前記制御信号に応じた駆動電圧を前記駆動コイルに供給することにより、前記ヘッドを所定の位置に退避させる駆動手段とを備えたことを特徴とするディスク装置。
【請求項２】
前記駆動手段は、前記スピンドルモータの逆起電力を整流して生成された駆動電圧を前記駆動コイルに供給することを特徴とする請求項１に記載のディスク装置。
【請求項３】
リトラクトに必要な電流を供給するリトラクト用コンデンサを有し、
前記駆動手段は、前記リトラクト用コンデンサから生成された駆動電圧を前記駆動コイルに供給することを特徴とする請求項１に記載のディスク装置。
【請求項４】
ディスク状記録媒体と、
前記ディスク状記録媒体を回転させるスピンドルモータと、
ボイスコイルモータを構成する駆動コイルと前記駆動コイルが設けられたアームと前記アームに取り付けられたヘッドとを有し、前記ディスク状記録媒体の半径方向に回転自在に支持され、所定の位置に前記ヘッドを退避させることができるように構成されたアクチュエータと、
前記アクチュエータの駆動に伴って、前記駆動コイルに発生する電圧を検出し、電圧信号を出力する電圧検出手段と、
リトラクトに必要な電流を供給するリトラクト用コンデンサと、
前記ヘッドのシーク動作時における前記電圧信号の値を記憶する電圧記憶手段と、
前記電圧記憶手段により記憶された前記電圧信号の値に応じた制御信号を生成し、かつ、前記制御信号を電源の遮断時に、所定の時間だけ出力するリトラクト制御手段と、
前記制御信号が入力され、前記制御信号に応じた駆動電圧を所定の時間だけ前記駆動コイルに供給し、その後、前記駆動電圧より大きな電圧を前記リトラクト用コンデンサから前記駆動コイルに供給することにより前記ヘッドを所定の位置に退避させる駆動手段とを備えたディスク装置。
【請求項５】
前記駆動手段は、前記スピンドルモータとの逆起電力を整流して生成された駆動電圧、もしくは前記リトラクト用コンデンサから生成された駆動電圧を、前記駆動コイルに供給することを特徴とする請求項４に記載のディスク装置。
【請求項６】
前記制御信号に応じて前記駆動コイルに供給する前記駆動電圧が、前記電圧記憶手段に記憶された前記電圧信号の値に等しくなるように構成された前記駆動手段を有することを特徴とする請求項１または請求項４に記載のディスク装置。
【請求項７】
前記リトラクト制御手段は、電源遮断時における前記ヘッドの前記ディスク状記録媒体上の位置をもとに、前記駆動電圧を加える期間を変化させることを特徴とする請求項１または請求項４に記載のディスク装置。
【請求項８】
前記リトラクト制御手段は、前記ディスク状記録媒体を半径方向に複数のゾーンに分割し、電源遮断時における前記ヘッドの位置するゾーンをもとに、前記駆動電圧を加える期間を変化させることを特徴とする請求項７に記載のディスク装置。
【請求項９】
電源電圧を昇圧して前記リトラクト用コンデンサを充電する昇圧手段を有することを特徴とする請求項３または請求項４に記載のディスク装置。
【請求項１０】
電源遮断時から所定の時間経過後に、前記電圧記憶手段に記憶された前記電圧信号の値に応じて、前記リトラクト用コンデンサから前記駆動コイルに供給される電圧の大きさを制限する電圧制御手段を有することを特徴とする請求項４に記載のディスク装置。
【請求項１１】
ボイスコイルモータを構成する駆動コイルと前記駆動コイルが設けられたアームと前記アームに取り付けられたヘッドとを有するアクチュエータを備えたディスク装置の電源遮断時における前記ヘッドのリトラクト制御方法であって、
前記アクチュエータの駆動に伴って、前記駆動コイルに発生する電圧を検出し、電圧信号を生成するステップと、
前記ヘッドのシーク動作時における前記電圧信号の値を記憶するステップと、
記憶された前記電圧信号の値に応じた制御信号を生成し、かつ、前記制御信号を電源の遮断時に出力するステップと、
前記制御信号に応じた駆動電圧を前記駆動コイルに供給することにより、前記ヘッドを所定の位置に退避させるステップとを包含することを特徴とするリトラクト制御方法。
【請求項１２】
ボイスコイルモータを構成する駆動コイルと前記駆動コイルが設けられたアームと前記アームに取り付けられたヘッドとを有するアクチュエータを備えたディスク装置の電源遮断時における前記ヘッドのリトラクト制御方法であって、
前記アクチュエータの駆動に伴って、前記駆動コイルに発生する電圧を検出し、電圧信号を生成するステップと、
前記ヘッドのシーク動作時における前記電圧信号の値を記憶するステップと、
記憶された前記電圧信号の値に応じた制御信号を生成し、かつ、前記制御信号を電源の遮断時に出力するステップと、
前記制御信号に応じた駆動電圧を所定の時間だけ、前記駆動コイルに供給し、その後、前記駆動電圧より大きな電圧をリトラクト用コンデンサから前記駆動コイルに供給することにより、前記ヘッドを所定の位置に退避させるステップとを包含することを特徴とするリトラクト制御方法。
【請求項１３】
前記制御信号に応じて、前記駆動コイルに供給する前記駆動電圧が記憶された前記電圧信号の値に等しくなるように制御するステップを含むことを特徴とする請求項１１または請求項１２に記載のリトラクト制御方法。
【請求項１４】
電源遮断時における前記ヘッドのディスク状記録媒体上の位置をもとに、前記駆動電圧を加える期間を変化させるステップを含むことを特徴とする請求項１２に記載のリトラクト制御方法。
【請求項１５】
ディスク状記録媒体を半径方向に複数のゾーンに分割し、電源遮断時における前記ヘッドが位置する前記ディスク状記録媒体上のゾーンをもとに、前記駆動電圧を加える期間を変化させるステップを含むことを特徴とする請求項１１または請求項１２に記載のリトラクト制御方法。
【請求項１６】
リトラクトに必要な電流を供給するリトラクト用コンデンサを有し、
前記ヘッドを所定の位置に退避させる前記ステップにおいて、前記リトラクト用コンデンサから生成された前記駆動電圧を前記駆動コイルに供給することを特徴とする請求項１１に記載のリトラクト制御方法。
【請求項１７】
電源遮断時から所定の時間経過後に、前記電圧信号の値を記憶する前記ステップにおいて記憶された前記電圧信号の値に応じて、前記リトラクト用コンデンサから前記駆動コイルに供給される電圧の大きさを制限するステップを含むことを特徴とする請求項１２または請求項１６に記載のリトラクト制御方法。
【発明の詳細な説明】
【技術分野】
【０００１】
本発明は、ディスク装置の電源供給が中断されたときに、ヘッドをディスク上のデータ領域外の退避領域、またはディスク外側のランプブロック等のヘッド退避部材上にリトラクトさせるようにしたディスク装置およびそれに用いるリトラクト制御方法に関する。
【背景技術】
【０００２】
近年、磁気ディスク装置等のディスク装置は、小型化、大容量化が急速に進んでいる。
【０００３】
従来の磁気ディスク装置では、コンタクト・スタート・ストップ（以下、ＣＳＳという）方式が採用されている。これらＣＳＳ方式のディスク装置では、電源供給が停止され、ディスク状記録媒体（以下、ディスクという）を回転させるスピンドルモータ（以下、ＳＰＭという）がその慣性で回転を持続している間に、ヘッドの搭載されたヘッドスライダをその先端に取り付けたアームがボイスコイルモータ（以下、ＶＣＭという）により回動させられて、ディスク面のデータ領域外に形成されたヘッド吸着の発生しないＣＳＳ退避領域（通常はディスクの内周側）に着地させている。
【０００４】
また、非動作時の信頼性を高めることを目的として、近年、ロード・アンロード機構を有するディスク装置が開発されている。これは、ディスク外周縁の外側にランプブロックを配置しておき、ディスク装置の動作を停止するときには、ＶＣＭによりアームを回動させ、アームのサスペンションタブをランプブロックのタブ保持面に載せることにより、ヘッドスライダをディスクからアンロードさせる。また、ディスク装置が動作を開始するときには、アームを回動させヘッドスライダをランプブロックから回転するディスク面上にロードさせるように構成されている。
【０００５】
ロード・アンロード方式のディスク装置の特徴としては、非動作時には、ヘッドスライダをランプブロック上に退避させるので、ディスク停止時にヘッドスライダがディスクデータ領域表面に吸着されることがない。したがって、より平滑表面のディスクを使用することができるため、より高密度記録を実現できる。また、ヘッドをディスクから退避させるため、非動作時の耐衝撃性を向上できるという特徴を有する。
【０００６】
ディスクを回転させるＳＰＭおよびヘッドを回動させるＶＣＭの駆動制御は、ディスク装置に内蔵された制御回路に搭載されたマイクロプロセッサ（以下、ＣＰＵという）により行われる。ディスク装置の動作中、すなわちヘッドがディスクのデータ領域に位置しているときに電源供給が停止されると、ディスク面上を浮上していたヘッドスライダはディスクの停止に伴いデータ領域に接触し吸着してしまう。一旦ヘッドスライダがディスク表面に吸着してしまうと、ディスクを回転させることもヘッドスライダを移動させることもできなくなる。
【０００７】
また、電源供給が停止されると、ＣＰＵも動作を停止するので、動作中の電源供給停止に対処するための緊急用のリトラクト回路が必要となる。すなわち、リトラクト回路は電源を常に監視し、電源供給が停止されたとき、ディスクおよびＳＰＭが持つ慣性でディスクが回転を持続している間に、ヘッドスライダをデータ領域外のＣＳＳ退避領域まで移動させる。または、ロード・アンロード機構を有するディスク装置であれば、ディスク外周縁の外側のランプブロックにヘッドスライダをアンロードさせることが必要となる。
【０００８】
以上のような電源供給停止時のリトラクト動作の信頼性を向上させるために、電源供給停止時からヘッドが退避位置に到達してリトラクト動作を完了するまでの期間を２つの期間に分け、第１の期間においては比較的低い一定電圧の第１のリトラクト電圧をＶＣＭに供給し、第２の期間においては比較的高い一定電圧の第２のリトラクト電圧をＶＣＭに供給するという方法が用いられている。その一例として、リトラクト用コンデンサの放電電圧によってリトラクトさせるという方法が一般的に知られている。図１０（ａ）は、電源遮断時にＶＣＭに駆動電圧を供給するためのリトラクト用コンデンサの放電電圧の波形図であり、所定の時刻Ｔ１まではリトラクト用コンデンサは徐々に放電され、時刻Ｔ１において一気に放電される。このリトラクト用コンデンサの放電電圧を定電圧回路により、図１０（ｂ）に示すように、時刻Ｔ１までは比較的低い電圧の第１のリトラクト電圧Ｖ１（一定電圧）に変換し、時刻Ｔ１以降は第１のリトラクト電圧Ｖ１よりも高い第２のリトラクト電圧Ｖ２に制御され、ＶＣＭを構成する駆動コイルに駆動電圧が印加される。したがって、所定の時刻Ｔ１まではヘッドを比較的小さな速度で退避位置の方向に移動させ、時刻Ｔ１において比較的高い電圧の第２のリトラクト電圧Ｖ２を供給することによって、ヘッドを加速して退避位置まで移動させるというリトラクト方法がある。
【０００９】
また、ディスクを回転させるＳＰＭが発生する逆起電力をＶＣＭに供給してヘッドを回動させ、低い電圧でヘッドまたはヘッド支持部材（サスペンション）を支承部材（ランプブロック）まで移送、衝突させ、支承部材に接触した状態でＶＣＭを停止させる第１段階と、ディスク装置の運転時にあらかじめコンデンサに蓄積させた電荷を利用して第１段階よりも大きな電圧をＶＣＭに供給し、ヘッドまたはヘッド支持部材を支承部材に乗り上げるように係合せしめる第２段階とを有するリトラクト方法が開示されている（例えば、特許文献１参照）。
【００１０】
また、電源遮断時に、ヘッドが過大な速度でディスク外に設けられたランプブロックの傾斜部や、外周ストッパーに衝突して、ヘッドあるいはディスクに損傷を与えないように、ランプ衝突判定回路にてＶＣＭコイルの逆起電力を観測することでランプブロック衝突を検出するように構成し、ランプブロック衝突までは、小さな電圧をＶＣＭに印加してランプ衝突時の衝撃を減らし、ランプブロック衝突検出後は、大きな電圧を印加してランプブロックに到達したヘッドを確実にアンロードさせるリトラクト方法が開示されている（例えば、特許文献２参照）。
【００１１】
また、電源供給停止時のリトラクト動作を安定化するために、ディスク上のヘッド現在位置からあらかじめ決められたリトラクト切替位置までの距離と、温度センサで検出された装置の温度変化とを考慮して、ヘッドの現在位置からリトラクト切替位置まで、ＳＰＭの逆起電力を利用してヘッドを移動させるのに要する時間を決定して、リトラクト時間として設定しておき、電源遮断時にはＶＣＭへのＳＰＭの逆起電流の供給を開始する第１のリトラクトを実行し、リトラクト時間経過後、すなわちヘッドがリトラクト切替位置近傍に到達した段階で、ＳＰＭの逆起電力に代えてリトラクト用コンデンサに蓄積された電荷を利用してヘッドを切替位置近傍からランプに退避させる第２のリトラクトを実行するリトラクト方法が開示されている（例えば、特許文献３参照）。
【特許文献１】特開平３−２４８３７９号公報
【特許文献２】特開２０００−２５１４２９号公報
【特許文献３】特開２００２−２９８５３０号公報
【発明の開示】
【発明が解決しようとする課題】
【００１２】
しかしながら、上記の従来構成のリトラクト方法では、電源停止直後から低い電圧をＶＣＭに印加し続ける構成となっているが、低い電圧でも実際にはＶＣＭは加速し続けることとなり、ディスク面上をヘッドが高速移動することとなる。そのため、ヘッドスライダの浮上が不安定となりディスクおよびヘッドの損傷が発生する場合がある。また、従来のロード・アンロード方式のディスク装置では、ランプブロックへの衝突速度は過大なものとなるため、ランプブロックの損傷を生じる場合が発生する。あるいは、衝突の衝撃によりヘッドスライダが機械共振を発生し、ヘッドスライダがディスク面と接触することによって、ディスクおよびヘッドの損傷が発生するという課題があった。
【００１３】
また、リトラクト動作を完了するまでの期間を２つの期間に分け、第１の期間においては比較的低い一定電圧の第１のリトラクト電圧をＶＣＭに供給し、ヘッドの移動速度が低速になるようにした場合、環境温度が低温になると、ヘッドが取り付けられたアーム（ヘッド支持部材）を回転自在に支持する軸受の負荷は増加するため、常温においてリトラクト動作が可能な第１のリトラクト電圧Ｖ１と同じ駆動電圧をＶＣＭに供給しても、アームに取り付けられたヘッドを回動させることができない。このため、リトラクト動作におけるヘッドの位置を示す図１０（ｃ）のように、時刻Ｔ１まではヘッドはその位置に静止したままである。時刻Ｔ１経過後は、定電圧回路による第１のリトラクト電圧Ｖ１より大きな第２のリトラクト電圧Ｖ２をＶＣＭの駆動回路に印加することによって、ＶＣＭは軸受の負荷よりも大きなトルクを発生する。このため、アームを回動させることができ、図１０（ｃ）に示すように、磁気ヘッドを磁気ディスクのデータ領域外のＣＳＳ退避領域まで移動させたり、あるいはロード・アンロード機構を有する磁気ディスク装置であれば、磁気ディスク外周縁の外側のランプブロックまで磁気ヘッドを退避させることができる。このとき、リトラクト用コンデンサの第２のリトラクト電圧Ｖ２に制限した放電は、ヘッドがディスク上に位置した状態で行われるため、図１０（ｄ）に示されたヘッドの移動速度から明らかなように、ヘッドはディスク上で急加速され、ディスクの面上をヘッドが高速移動することになる。ヘッドが高速移動することによって、ヘッドを搭載したヘッドスライダの浮上が不安定となり、ディスクおよびヘッドの損傷を発生させることになるという課題があった。
【００１４】
また、ＳＰＭの逆起電力、ＶＣＭのトルク定数、ＶＣＭのコイル抵抗は温度によって変化するため、電源供給が停止されたとき、ヘッドスライダをデータ領域外のＣＳＳ退避領域まで移動させることが充分できない場合が生じる。または、ロード・アンロード機構を有するディスク装置においては、ディスク外周縁の外側のランプブロックまでヘッドスライダを移送させるＶＣＭの発生トルク自身がばらつく場合がある。また、温度によってピボット軸受の粘性負荷が変化し、同じリトラクト時間であっても、温度によってヘッド移動速度、移動距離が変化するというような種々の課題があった。
【００１５】
すなわち、常温において、ディスク装置のリトラクト動作が最適になるようにリトラクト時間を設定したとしても、温度変化によっては、リトラクト時間内にヘッドスライダはデータ領域外のＣＳＳ退避領域まで移動できない場合が生じる。または、ディスク外周縁の外側のランプブロックまでヘッドスライダを移送させることができない場合や、設定されたリトラクト時間よりも短時間でヘッドスライダの移送動作を完了する場合が生じるという課題があった。
【００１６】
また、ロード・アンロード機構を有するディスク装置で、リトラクト動作の第１段階において、ディスク外周縁の外側のランプブロックまでヘッドスライダを移送させることができず、ヘッドスライダがディスクのデータ領域に位置する状態で、リトラクト動作の第２段階において、ディスク装置の運転時にあらかじめコンデンサに蓄積した電荷を利用して第１段階よりも大きな電圧をＶＣＭに供給した場合には、ヘッドスライダは急加速されることになりディスクおよびヘッドの損傷が発生する場合が生じるという課題があった。
【００１７】
一方、リトラクト時間の設定値よりも短時間でヘッドスライダの移送動作を完了した場合には、ヘッドがランプブロック斜面で一時停止する状態が発生する。ランプブロックの斜面で一時停止する状態が長く継続すれば、ヘッドスライダの荷重が除去された不安定な状態でヘッドスライダがディスク上に存在するため、ディスクの面振れによりヘッドがディスクに吸着したり、あるいは離れたりして、ヘッドおよびディスクが損傷を受けるという課題があった。すなわち、ロード・アンロード機構を有するディスク装置では、低い電圧でヘッドスライダをランプブロックまで移送、衝突させ、ランプブロック斜面に接触した状態で停止させる第１段階と、ディスク装置の運転時にあらかじめコンデンサに蓄積した電荷を利用して第１段階よりも大きな電圧をＶＣＭに供給し、ヘッドスライダをランプブロック終端までアンロードさせる第２段階との動作切換のタイミングが難しいという課題があった。
【００１８】
また、ヘッドがランプブロックに衝突するタイミングを検出するために、ランプブロック衝突判定回路を特別に設けたり、ディスク装置の温度を温度センサで検出し、装置の温度変化を考慮してリトラクト時間を決定したりすることによって、回路実装面積が増加したり、回路コストが高価になるという課題があった。
【００１９】
また、リトラクト動作時に、低い電圧でヘッドスライダをランプブロックまで移送させ、ランプブロック斜面に接触した状態で停止させる第１段階に到達の後に、ヘッドスライダをランプブロック終端までアンロードさせる第２段階において、ディスク装置の運転時にあらかじめコンデンサに蓄積した電荷を利用して、第１段階の電圧に比べて相当大きな電圧をＶＣＭに供給するため、ヘッドを搭載したヘッドスライダを先端に取り付けたアームがランプブロックを越えて外周ストッパーで跳ね返され、ヘッドが再びディスク上に吸着することになるという課題があった。
【００２０】
本発明は、上記の課題を解決し、電源供給停止時のリトラクト動作の信頼性を向上させたディスク装置およびそれに用いられるリトラクト制御方法を提供することを目的とする。
【課題を解決するための手段】
【００２１】
この目的を達成するために本発明のディスク装置は、ディスクと、ディスクを回転させるスピンドルモータと、ボイスコイルモータを構成する駆動コイルと駆動コイルが設けられたアームとアームに取り付けられたヘッドとを有し、ディスクの半径方向に回転自在に軸支されたアクチュエータと、アクチュエータの駆動に伴って、駆動コイルに発生する電圧を検出し、かつその電圧を電圧信号として出力する電圧検出手段と、ヘッドのシーク動作時における電圧信号の値を記憶する電圧記憶手段と、電圧記憶手段により記憶された電圧信号の値に応じた制御信号を生成し、かつ、その制御信号を電源の遮断時に出力するリトラクト制御手段と、ヘッドを所定の位置に退避させるために、制御信号が入力され、その制御信号に応じた駆動電圧を駆動コイルに供給する駆動手段とを備えるようにした構成を有している。
【００２２】
この構成によって、ディスク装置が使用される環境温度が変化しても、その環境温度におけるヘッドのシーク動作時の電圧信号が記憶された電圧記憶手段の電圧信号の値を利用して、ヘッドをリトラクトさせるための駆動電圧を駆動コイルに供給するため、電源停止直後に、ヘッドスライダに搭載されたヘッドがディスク状記録媒体の面上をほぼ一定の速度でデータ領域外のＣＳＳ退避領域まで、あるいは、ディスク状記録媒体の外側に設けられたランプブロックまで移送されることになり、電源供給停止時のリトラクト動作の信頼性を向上させることができる。
【００２３】
さらに、ヘッドのシーク動作時における電圧信号の値を電圧記憶手段に記憶しておき、その記憶された電圧信号の値に応じた制御信号を生成し、その制御信号を電源の遮断時に出力するため、ディスク装置を使用している環境温度に応じて駆動コイルに供給される駆動電圧が変化し、シーク時と同じ速度でヘッドをリトラクトさせることができ、ディスク装置の温度を検出する温度センサを特別に設けて環境温度によるリトラクトのための駆動コイルへの供給電圧を変化させる必要がなく、したがって、温度を検出するための回路実装面積が増加したり、温度センサや温度検出のための回路コストが増加するようなことがなく、コストを削減することができ、安価で高い信頼性を有した優れたディスク装置を実現することができる。
【００２４】
また、上記構成において、駆動手段はスピンドルモータの逆起電力を整流して生成された駆動電圧を駆動コイルに供給する構成としてもよい。この構成によって、電源供給停止時におけるリトラクト動作のためのリトラクト用コンデンサを削減することができ、安価で高い信頼性を有した優れたディスク装置を実現することができる。
【００２５】
また、上記構成において、リトラクトに必要な電流を供給するリトラクト用コンデンサを有し、駆動手段はリトラクト用コンデンサから生成された駆動電圧を駆動コイルに供給する構成としてもよい。
【００２６】
また、本発明のディスク装置は、ディスクと、ディスクを回転させるスピンドルモータと、ボイスコイルモータを構成する駆動コイルと駆動コイルが設けられたアームとアームに取り付けられたヘッドとを有し、ディスクの半径方向に回転自在に軸支され、所定の位置にヘッドを退避させることができるように構成されたアクチュエータと、アクチュエータの駆動に伴って、駆動コイルに発生する電圧を検出し、電圧信号を出力する電圧検出手段と、リトラクトに必要な電流を供給するリトラクト用コンデンサと、ヘッドのシーク動作時における電圧信号の値を記憶する電圧記憶手段と、電圧記憶手段により記憶された電圧信号の値に応じた制御信号を生成し、かつその制御信号を電源の遮断時に所定の時間だけ出力するリトラクト制御手段と、ヘッドを所定の位置に退避させるために制御信号が入力され、その制御信号に応じた駆動電圧を所定の時間だけ駆動コイルに供給し、その後駆動電圧より大きな電圧をリトラクト用コンデンサから駆動コイルに供給する駆動手段とを備えるようにした構成を有する。
【００２７】
また、上記構成において、駆動手段がスピンドルモータとの逆起電力を整流して生成された駆動電圧、もしくはリトラクト用コンデンサから生成された駆動電圧を駆動コイルに供給する構成としてもよい。
【００２８】
この構成によって、ディスク装置が使用される環境温度が変化しても、その環境温度におけるヘッドのシーク動作時に電圧記憶手段に記憶された電圧信号の値を利用して、ヘッドをリトラクトさせるための駆動電圧を駆動コイルに供給するため、電源停止直後に、ヘッドスライダに搭載されたヘッドがディスク状記録媒体の面上をほぼ一定の速度でデータ領域外のＣＳＳ退避領域まで、あるいはディスク状記録媒体の外周縁の外側のランプブロックまで移送される。したがって、ディスク装置の温度を検出する温度センサを特別に設ける必要がない。この結果、温度を検出するための回路実装面積が増加したり、温度センサや温度検出のための回路コストが増加するようなことがなく、コストを削減することができる。また、電源供給停止時のリトラクト動作の信頼性を向上させることができ、安価で高い信頼性を有したディスク装置を実現することができる。
【００２９】
また、上記構成において、制御信号に応じて駆動コイルに供給する駆動電圧が、電圧記憶手段に記憶された電圧信号の値に等しくなるように構成された駆動手段を有するようにした構成としてもよい。
【００３０】
この構成によって、リトラクト動作においてヘッドの現在位置からディスク状記録媒体の外側に設けられたランプブロックの先端までは、電圧記憶手段に記憶された電圧信号Ｖａから算出された電圧信号Ｖａに等しい駆動電圧が第１のリトラクト電圧Ｖ１として、また、ランプブロックの先端からサスペンションタブがランプブロック上のタブ保持面を摺動して外周ストッパーに当接するまでは、電圧記憶手段に記憶された電圧信号Ｖａから算出された電圧信号Ｖａに等しい駆動電圧が第２のリトラクト電圧Ｖ２として、駆動コイルに供給される。なお、この電圧信号Ｖａが電圧記憶手段に記憶された電圧信号Ｖａと等しいとしたが、これは一般的な設計上許容される程度の範囲までは含んでいるものとする。
【００３１】
このため、ディスク装置が使用される環境温度が変化しても、例えばその環境温度が低温であっても、電源停止直後にヘッドスライダに搭載されたヘッドがディスクの面上をほぼ一定の速度でランプブロックまで移送される。この結果、電源供給停止時のリトラクト動作の信頼性を向上させることができる。
【００３２】
さらに、ディスク装置の温度を検出する温度センサを特別に設ける必要がないので温度を検出するための回路実装面積が増加したり、温度センサや温度検出のための回路コストが増加するようなことがない。この結果、コストを削減することができ、安価で高い信頼性を有した優れたディスク装置を実現することができる。
【００３３】
また、上記構成において、リトラクト制御手段が電源遮断時におけるヘッドのディスク上の位置をもとに、駆動電圧を加える期間を変化させるようにした構成としてもよい。あるいは、リトラクト制御手段がディスクを半径方向に複数のゾーンに分割し、電源遮断時におけるヘッドの位置するゾーンをもとに、駆動電圧を加える期間を変化させるようにした構成としてもよい。
【００３４】
この構成によって、電源遮断時にヘッドがディスク上のどの位置に存在していても、低い電圧でヘッドスライダをランプブロックまで移送し、ランプブロックに接触した状態で停止させるリトラクト動作の第１段階と、ディスク装置の運転時にコンデンサに蓄積した電荷を利用して第１段階よりも大きく、かつ電圧記憶手段に記憶された電圧信号の値に応じて適当に制限された電圧をＶＣＭに供給して、ヘッドスライダに搭載されたヘッドをランプブロック終端（外周ストッパー）までアンロードさせる第２段階との動作切換のタイミングを最適に行うように、ディスク装置使用時の環境温度に応じたリトラクト時間を設定することができる。
【００３５】
この結果、ＶＣＭの発生トルクのばらつきや環境温度によってピボット軸受の粘性負荷が変化しても、ヘッドスライダをランプブロック終端までアンロードさせる第２段階において、リトラクトが完了できなかったり、ＶＣＭがランプブロックの外周ストッパーで跳ね返されてヘッドが再びディスク上に吸着するようなことがない。したがって、ディスクおよびヘッドを損傷させることなく、ヘッドを退避位置にリトラクトすることができ、電源供給停止時のリトラクト動作の信頼性を向上させることができ、高い信頼性を有したディスク装置を実現することができる。
【００３６】
また、上記構成において、電源電圧を昇圧してリトラクト用コンデンサを充電する昇圧手段を有するようにした構成としてもよい。
【００３７】
この構成によって、第１段階よりも大きく、かつ電圧記憶手段に記憶された電圧信号の値に応じて適当に制限された電圧をＶＣＭの駆動コイルに供給することができる。したがって、ＶＣＭの発生トルクのばらつきや環境温度によってピボット軸受の粘性負荷が変化しても、ヘッドスライダをランプブロック終端までアンロードさせる第２段階において、リトラクトが完了できなかったり、ＶＣＭがランプブロックの外周ストッパーで跳ね返されてヘッドが再びディスク上に吸着するようなことがない。この結果、ディスクおよびヘッドを損傷させることなく、ヘッドを退避位置にリトラクトすることができ、電源供給停止時のリトラクト動作の信頼性を向上させることができ、高い信頼性を有したディスク装置を実現することができる。
【００３８】
また、上記構成において、電源遮断時から所定の時間経過後に、電圧記憶手段に記憶された電圧信号の値に応じて、リトラクト用コンデンサから駆動コイルに供給される電圧の大きさを制限する電圧制御手段を有するようにした構成としてもよい。
【００３９】
この構成によって、ヘッドスライダをランプブロック終端までアンロードさせるために、リトラクト用コンデンサからＶＣＭに供給される第２のリトラクト電圧Ｖ２が制限される。このため、アクチュエータがランプブロックの外周ストッパーに非常に強く衝突し、ランプブロックの外周ストッパーに跳ね返され、ヘッドが再びディスクに吸着し、ディスクおよびヘッドを損傷するようなことがなくなり、電源供給停止時に安定したリトラクト動作をさせることができる。したがって、高い信頼性を有したディスク装置を実現することができる。
【００４０】
また、本発明のリトラクト制御方法は、ボイスコイルモータを構成する駆動コイルと駆動コイルが設けられたアームとアームに取り付けられたヘッドとを有するアクチュエータを備えたディスク装置の電源遮断時におけるヘッドのリトラクト制御方法であって、アクチュエータの駆動に伴って、駆動コイルに発生する電圧を検出し、電圧信号を生成するステップと、ヘッドのシーク動作時における電圧信号の値を記憶するステップと、記憶された電圧信号の値に応じた制御信号を生成し、かつその制御信号を電源の遮断時に出力するステップと、制御信号に応じた駆動電圧を駆動コイルに供給することにより、ヘッドを所定の位置に退避させるステップとを包含するようにした方法である。
【００４１】
また、上記方法において、リトラクトに必要な電流を供給するリトラクト用コンデンサを有し、ヘッドを所定の位置に退避させるステップにおいてリトラクト用コンデンサから生成された駆動電圧を駆動コイルに供給するようにした方法としてもよい。
【００４２】
この方法によって、ディスク装置が使用される環境温度が変化しても、使用されている環境温度におけるヘッドのシーク動作時に記憶されたメモリーの電圧信号の値を利用して、ヘッドをリトラクトさせるための駆動電圧を駆動コイルに供給することができる。このため、電源停止直後に、ヘッドスライダに搭載されたヘッドがディスク面上をほぼ一定の速度でデータ領域外のＣＳＳ退避領域まで、あるいは、ディスクの外周縁の外側のランプブロックまで移送されることになり電源供給停止時のリトラクト動作の信頼性を向上させることができ、高い信頼性を有したリトラクト制御方法を実現することができる。
【００４３】
また、本発明のリトラクト制御方法は、ボイスコイルモータを構成する駆動コイルと駆動コイルが設けられたアームとアームに取り付けられたヘッドとを有するアクチュエータを備えたディスク装置の電源遮断時におけるヘッドのリトラクト制御方法であって、アクチュエータの駆動に伴って、ボイスコイルモータに発生する電圧を検出し、電圧信号を生成するステップと、ヘッドのシーク動作時における電圧信号の値を記憶するステップと、記憶された電圧信号の値に応じた制御信号を生成し、かつその制御信号を電源の遮断時に出力するステップと、制御信号に応じた駆動電圧を所定の時間だけ、駆動コイルに供給し、その後駆動電圧より大きな電圧を駆動コイルに供給することにより、ヘッドを所定の位置に退避させるステップとを包含するようにした方法である。
【００４４】
この方法によって、ディスク装置が使用される環境温度が変化しても、使用している環境温度におけるヘッドのシーク動作時にメモリーに記憶された電圧信号の値を利用して、ヘッドをリトラクトさせるための駆動電圧を駆動コイルに供給することができる。このため、電源停止直後に、ヘッドスライダに搭載されたヘッドがディスク面上をほぼ一定の速度でデータ領域外のＣＳＳ退避領域まで、あるいは、ディスクの外周縁の外側のランプブロックまで移送されることになり、電源供給停止時のリトラクト動作の信頼性を向上させることができ、高い信頼性を有したリトラクト制御方法を実現することができる。
【００４５】
また、上記方法において、電源遮断時におけるヘッドのディスク上の位置をもとに、駆動電圧を加える期間を変化させるステップを含むようにしてもよい。あるいは、ディスクを半径方向に複数のゾーンに分割し、電源遮断時におけるヘッドが位置するディスク上のゾーンをもとに、駆動電圧を加える期間を変化させるステップを含むようにしてもよい。
【００４６】
この方法によって、電源遮断時にヘッドがディスク上のどの位置に存在していても、低い電圧でヘッドスライダをランプブロックまで移送し、ランプブロックに接触した状態で停止させるリトラクト動作の第１段階と、ディスク装置の運転時にコンデンサに蓄積した電荷を利用して第１段階よりも大きく、かつメモリーに記憶された電圧信号の値に応じて適当に制限された電圧をＶＣＭに供給して、ヘッドスライダに搭載したヘッドをランプブロック終端までアンロードさせる第２段階との動作切換のタイミングを最適に行うように、ディスク装置使用時の環境温度に応じたリトラクト時間を設定することができる。この結果、ＶＣＭの発生トルクのばらつきや環境温度によってピボット軸受の粘性負荷が変化しても、ヘッドスライダをランプブロック終端までアンロードさせる第２段階において、リトラクトが完了できなかったり、ＶＣＭがランプブロックの外周ストッパーで跳ね返されてヘッドが再びディスク上に吸着するようなことがない。このため、ディスクおよびヘッドを損傷させることなく、ヘッドを退避位置にリトラクトすることができ、電源供給停止時のリトラクト動作の信頼性が向上したリトラクト制御方法を実現することができる。
【００４７】
また、上記方法において、電源遮断時から所定の時間経過後に、電圧信号の値を記憶するステップにおいて記憶された電圧信号の値に応じて、リトラクト用コンデンサから駆動コイルに供給される電圧の大きさを制限するステップを含むようにしてもよい。
【００４８】
この方法によって、ヘッドスライダをランプブロック終端までアンロードさせるために、リトラクト用コンデンサからＶＣＭに供給される第２のリトラクト電圧Ｖ２が制限される。このため、アクチュエータがランプブロックの外周ストッパーに非常に強く衝突し、ランプブロックの外周ストッパーに跳ね返され、ヘッドが再びディスク上に吸着し、ディスクおよびヘッドを損傷するようなことがなく、電源供給停止時に安定したリトラクト動作をさせることができ、高い信頼性を有したリトラクト制御方法を実現することができる。
【発明の効果】
【００４９】
本発明のディスク装置およびそのリトラクト制御方法によれば、ディスク装置が使用される環境温度が変化しても、その環境温度において移動可能な駆動電圧を駆動コイルに供給するため、例えば軸受の粘性抵抗が増加する低温時においても、アクチュエータは移動可能となり、リトラクト動作を安定、かつ確実に行うことができる。また、電源停止直後にヘッドスライダがディスク面上をほぼ一定の速度でデータ領域外のＣＳＳ退避領域、またはロード・アンロード機構を有するディスク装置であればディスク外周縁の外側のランプブロックまで移送されることができるので、ヘッドスライダの浮上が不安定となりディスクおよびヘッドの損傷を発生することもなく、電源遮断時のリトラクト動作を安定、かつ確実に行うことができる。また、ヘッドのシーク動作時における電圧信号の値をメモリーに記憶しておき、記憶された電圧信号の値に応じた制御信号を電源の遮断時に出力するので、ディスク装置の温度を検出する温度センサを特別に設ける必要がない。したがって、回路実装面積の増加や回路コストの増加を生じることがない。また、低い電圧でヘッドスライダをランプブロックまで移送させ、ランプ斜面に接触した状態で停止させるリトラクト動作の第１段階の後に、ヘッドスライダをランプブロック終端までアンロードさせる第２段階において、ＶＣＭに供給する電圧を適当な値に制限することにより、ランプブロックの外周ストッパーで跳ね返されて、ヘッドが再びディスク上に吸着することもなく、電源供給停止時のリトラクト動作の信頼性を向上させることができるという大きな効果を奏する。
【発明を実施するための最良の形態】
【００５０】
以下、本発明に係わるディスク装置およびそれに用いるリトラクト制御方法について、ディスク装置として磁気ディスク装置を例にとって図面に基づいて詳細に説明する。したがって、ディスクとしては磁気ディスクを用いるので、以下では磁気ディスクとして説明する。
【００５１】
（実施の形態）
図１〜図９は、本発明の実施の形態にかかるディスク装置およびそれに用いるリトラクト制御方法を説明するための図である。
【００５２】
図１は、磁気ディスク装置の構成を示すブロック図である。また、図２は、ランプブロックの断面図である。
【００５３】
図３は、ヘッド制御器の構成を示すブロック図である。
【００５４】
さらに、図４は、駆動器の一例を示す回路構成図である。
【００５５】
また、図５は、ヘッド制御器および電源監視器の動作を説明するためのフローチャートである。
【００５６】
また、図６は、リトラクト制御器の動作を説明するためのフローチャートである。
【００５７】
さらに、図７は、シーク制御時の動作を説明するための図で、（ａ）はシーク制御時の動作を説明するためのシーク速度指令の波形図、（ｂ）は高温時におけるシーク制御時の動作を説明するためのＶＣＭ駆動の電圧信号の波形図、（ｃ）は常温時におけるシーク制御時の動作を説明するためのＶＣＭ駆動の電圧検出器の電圧信号の波形図、（ｄ）は低温時におけるシーク制御時の動作を説明するためのＶＣＭ駆動の電圧検出器の電圧信号の波形図である。
【００５８】
また、図８は、常温時におけるリトラクト動作を説明するための図で、（ａ）はリトラクト用コンデンサの放電電圧の波形図、（ｂ）はＶＣＭに印加される駆動電圧の波形図、（ｃ）はヘッド位置の波形図、（ｄ）はヘッドの移動速度の波形図である。
【００５９】
図９は低温時のリトラクト動作を説明するための図で、（ａ）はリトラクト用コンデンサの放電電圧の波形図、（ｂ）はＶＣＭに印加される駆動電圧の波形図、（ｃ）はヘッド位置の波形図、（ｄ）はヘッドの移動速度の波形図である。
【００６０】
図１において、磁気ディスク１は、スピンドルモータ（図示せず）により回転駆動される。磁気ヘッド２は、磁気ディスク１に対してデータを記録または再生するためのものであり、アーム３の先端に搭載されている。アーム３が軸受４の周りに回動することにより、磁気ヘッド２は磁気ディスク１における目標トラックへ移動する。
【００６１】
アーム３の他端には駆動コイル５が設けられている。固定子６は空隙を介して対向する一対のヨークからなり、その空隙部分に対応させて、少なくとも一方のヨークに図示しないマグネット（永久磁石）が固着されている。このマグネットは、ヨークの駆動コイル５に対向する面に配置されている。固定子６に配置されたマグネットが発生する磁束と駆動コイル５に通電される電流が作る磁界との相互作用により、アーム３は回転力を受け、軸受４の周りに回動する。駆動コイル５および固定子６は、ＶＣＭを構成している。
【００６２】
ランプブロック９は磁気ディスク１の占有領域の外側に配置されたヘッド退避部材であり、ランプブロック９のランプ上にはタブ保持面が形成されている。アーム３の先端部に設けられたサスペンションタブ３ａは、アーム３の回動に伴ってランプブロック９上のタブ保持面と摺動する。磁気ヘッド２、アーム３、軸受４、駆動コイル５、サスペンションタブ３ａによりアクチュエータ７を構成している。
【００６３】
駆動器１０に含まれる電圧検出手段である電圧検出器１１は、駆動コイル５の両端に発生する電圧を検出し、電圧信号Ｖａを出力する。リトラクト制御器１３は、電圧検出器１１で生成された電圧信号Ｖａが入力され、リトラクト制御信号ｕｒを駆動器１０へ出力するリトラクト制御手段である。
【００６４】
一方、磁気ディスク１の各セクタには、あらかじめサーボ情報としてトラック信号ｐが記録されており、このトラック信号ｐは磁気ヘッド２により読み込まれる。位置検出器１４は、磁気ヘッド２により読み込まれたトラック信号ｐに基づいて磁気ヘッド２の現在位置を検出し、位置信号ｄを生成する。ヘッド制御器１２には、位置信号ｄが入力され、制御信号ｕを生成し、その制御信号ｕを駆動器１０へ出力する。
【００６５】
電源監視器１５は磁気ディスク装置に供給される電源が正常であるか否かを常に監視し、電源供給が停止されたときにリトラクト指令ｃｒを駆動器１０へ出力する。
【００６６】
駆動器１０は、入力されたリトラクト指令ｃｒに応じて、制御信号ｕまたはリトラクト制御信号ｕｒのいずれかを選択し、駆動コイル５に駆動電流Ｉａを通電し、駆動コイル５に駆動電流Ｉａを通電することにより、軸受４を中心としてアーム３を回動させ、アーム３の先端に取り付けられた磁気ヘッド２を回転移動させる駆動手段である。アーム３を磁気ディスク１の外周側に回動させたときに、アーム３のサスペンションタブ３ａをランプブロック９のタブ保持面に載せることにより、磁気ヘッド２が搭載されたヘッドスライダ（図示せず）をアンロードさせるように構成されている。
【００６７】
図２はアーム３のサスペンションタブ３ａがランプブロック９のタブ保持面を摺動する様子を示すための図である。
【００６８】
図２において、ランプブロック９は、磁気ディスク１と上下に隙間を有して重なるように取り付けられており、ランプブロック９の上面は、第１の平面２１、第１の斜面２２、第２の平面２３および第２の斜面２４からなる複数の平面を有し、サスペンションタブ３ａがアクチュエータ７の回動に応じて、ランプブロック９の上面に設けられた複数の平面に当接しながらアーム３をガイドし、磁気ヘッド２をロード・アンロードさせる。
【００６９】
外周ストッパー２５は、動作を停止する際、磁気ヘッド２をアンロードさせたときに、これ以上磁気ディスク１の外周縁の外側へ移動しないように停止させるためのものであり、外周ストッパー２５によってサスペンションタブ３ａのそれ以上の外周縁外側への移動を規制するものである。
【００７０】
磁気ディスク装置にロード指令が入力されると、磁気ディスク１を回転させ、駆動コイル５に電流が供給され、アクチュエータ７を磁気ディスク１側へ回動させ、磁気ヘッド２を磁気ディスク１上に移動させる。磁気ディスク１の外周部近傍においてアクチュエータ７を構成するアーム３の先端のサスペンションタブ３ａは、アーム３の回動に応じてランプブロック９の上面の第１の平面２１、第１の斜面２２、第２の平面２３および第２の斜面２４へと順次導かれ、磁気ヘッド２は磁気ディスク１上にロードされる。
【００７１】
磁気ディスク装置にアンロード指令が入力された時、または磁気ディスク装置への電源供給が停止された異常時には、磁気ディスク１を回転させた状態のまま駆動コイル５に電流が供給されてアクチュエータ７をランプブロック９側へ回動させ、磁気ヘッド２を磁気ディスク１の外周縁の外側に移動させる。磁気ディスク１の外周部近傍においてアーム３の先端のサスペンションタブ３ａは、アーム３の回動に応じてランプブロック９上面の第２の斜面２４、第２の平面２３、第１の斜面２２および第１の平面２１へと順次導かれ、外周ストッパー２５でアーム３の回動は停止され、磁気ヘッド２のアンロード動作、またはリトラクト動作は完了される。
【００７２】
磁気ディスク装置に用いられるヘッド制御器１２について、図３を用いて説明する。
【００７３】
図３において、磁気ディスク装置にシークコマンドが入力されたときには、モード切換スイッチ５６はａ端子側に接続されている。速度変換器５１は図１における位置検出器１４から入力される位置信号ｄと目標位置との差分を求めることにより、磁気ヘッド２が磁気ディスク１上を移動する移動速度ｖを出力する。速度変換器５１の出力する移動速度ｖは、比較器５２において速度パターン発生器５３の発生する磁気ヘッド２のシーク速度指令ｖｒと比較され、シーク速度指令ｖｒと磁気ヘッド２の移動速度ｖとの偏差がシーク制御器５４に入力され、磁気ヘッド２は速度パターン発生器５３の発生するシーク速度指令ｖｒにしたがって速度制御される。
【００７４】
シーク制御器５４はシーク制御信号ｕｓを生成し、モード切換スイッチ５６を介して駆動器１０に制御信号ｕ（＝ｕｓ）が入力される。駆動器１０は、ヘッド制御器１２から入力された制御信号ｕに応じてアクチュエータ７の駆動コイル５に駆動電流Ｉａを通電し、軸受４を中心としてアーム３を回動させ、アーム３の先端に取り付けられた磁気ヘッド２を目標トラックまで回転移動させる。
【００７５】
一方、磁気ディスク装置にトラック追従コマンドが入力されたときには、モード切換スイッチ５６はｂ端子側に接続される。位置検出器１４の出力する位置信号ｄは追従制御器５５に入力され、磁気ヘッド２の目標トラックからの位置ずれを抑制するように追従制御信号ｕｆを生成しモード切換スイッチ５６を介して駆動器１０に制御信号ｕ（＝ｕｆ）が入力される。駆動器１０は、ヘッド制御器１２から入力された制御信号ｕに応じてアクチュエータ７の駆動コイル５に駆動電流Ｉａを通電し、磁気ヘッド２の目標トラックへの位置決め制御が行われる。
【００７６】
図４を用いて駆動器１０の一例について説明する。
【００７７】
図４において、駆動器１０は、ｐチャネル電界効果形トランジスタ（ｐ−ＦＥＴ）３１ａ，３１ｂとｎチャネル電界効果形トランジスタ（ｎ−ＦＥＴ）３２ａ，３２ｂとを含み、ｐ−ＦＥＴ３１ａとｎ−ＦＥＴ３２ａとが直列接続され、かつ、ｐ−ＦＥＴ３１ｂとｎ−ＦＥＴ３２ｂとが直列接続されて、その両端は電源３６（電圧Ｖｍ）に接続されている。
【００７８】
ｐ−ＦＥＴ３１ａ、ｎ−ＦＥＴ３２ａ、ｐ−ＦＥＴ３１ｂおよびｎ−ＦＥＴ３２ｂは、それぞれを４辺とするブリッジ回路を構成しており、そのブリッジ回路の中性点間には、駆動コイル５と電流検出抵抗３３とが接続されている。電流検出抵抗３３は、駆動コイル５に通電される電流を検出し、電圧値に変換するための抵抗素子である。電流検出抵抗３３の両端に発生した電圧は、増幅器３４で増幅されてブリッジ制御回路３５に入力され、駆動コイル５に通電される電流値がブリッジ制御回路３５へフィードバックされる。
【００７９】
ブリッジ制御回路３５は、入力される制御信号ｕに応じてｐ−ＦＥＴ３１ａ、ｎ−ＦＥＴ３２ａ、ｐ−ＦＥＴ３１ｂおよびｎ−ＦＥＴ３２ｂを制御することによって、駆動コイル５に駆動電流Ｉａを通電する。ｐ−ＦＥＴ３１ｂとｎ−ＦＥＴ３２ａとがオン、ｐ−ＦＥＴ３１ａとｎ−ＦＥＴ３２ｂとがオフされているときは、駆動コイル５にはアーム３を磁気ディスク１の内周側に回動させる方向に電流が通電される。これは、磁気ヘッド２をランプブロック９上から磁気ディスク１上にロードさせる方向に対応する。
【００８０】
逆に、ｐ−ＦＥＴ３１ａとｎ−ＦＥＴ３２ｂとがオン、ｐ−ＦＥＴ３１ｂとｎ−ＦＥＴ３２ａとがオフされているときは、駆動コイル５にはアーム３を磁気ディスク１の外周側に回動させる方向に電流が通電される。これは、磁気ヘッド２をランプブロック９上へアンロードさせる方向に対応する。
【００８１】
リトラクト電源３７は、ｐチャネル電界効果形トランジスタ（ｐ−ＦＥＴ）４４を介して駆動コイル５と電流検出抵抗３３の共通接続点に接続される。また、リトラクト電源３７は、昇圧回路４１、リトラクト用コンデンサ４２および定電圧回路４３を含む。昇圧回路４１は、電源３６の電圧Ｖｍをもとに、Ｖｍより数倍レベルの大きい電圧を生成し、リトラクト用コンデンサ４２を充電する昇圧手段である。定電圧回路４３は、リトラクト用コンデンサ４２の後に接続される。リトラクト電源３７から電流を通電したときに、リトラクト用コンデンサ４２の両端の電圧は放電により低下するので、リトラクト用コンデンサ４２の後に接続した定電圧回路４３により、リトラクト電源３７の出力電圧を一定になるように電圧制御する。なお、まったく完全に一定する必要はなく、同じ結果が得られる範囲内であれば異なってもよい。定電圧回路４３には、リトラクト制御器１３よりリトラクト制御信号ｕｒが入力されており、リトラクト制御信号ｕｒに応じてリトラクト電源３７の出力電圧を調整する。
【００８２】
ｐ−ＦＥＴ４４のゲート端子にはスイッチ制御回路４５が接続され、スイッチ制御回路４５は、図１における電源監視器１５の出力するリトラクト指令ｃｒに応じてｐ−ＦＥＴ４４をオン・オフさせる。また、スイッチ制御回路４５は、リトラクト指令ｃｒが”Ｈ”レベルのとき、ｐ−ＦＥＴ４４をオンにし、リトラクト指令ｃｒが”Ｌ”レベルのとき、ｐ−ＦＥＴ４４をオフにする。
【００８３】
リトラクト指令ｃｒはブリッジ制御回路３５にも入力されており、ブリッジ制御回路３５は、リトラクト指令ｃｒが”Ｈ”レベルのときに、ｐ−ＦＥＴ３１ａ、ｐ−ＦＥＴ３１ｂおよびｎ−ＦＥＴ３２ａをオフにし、ｎ−ＦＥＴ３２ｂだけをオン状態にする。
【００８４】
これにより、リトラクト指令ｃｒが”Ｌ”レベルのときには、駆動コイル５には電源３６から電力が供給され、ブリッジ制御回路３５に入力される制御信号ｕに応じて電流制御が行われる。一方、リトラクト指令ｃｒが”Ｈ”レベルのときには、リトラクト電源３７からｐ−ＦＥＴ４４を介して直接に駆動コイル５に電力が供給される。したがって、リトラクト指令ｃｒが”Ｈ”レベルのときには、制御信号ｕに応じた電流制御は行われない。
【００８５】
駆動器１０に含まれる電圧検出器１１には、駆動コイル５の両端電圧が入力されていて、ＶＣＭ駆動時に発生する電圧を検出し、電圧信号Ｖａを出力する。
【００８６】
次に、磁気ディスク装置に用いられる制御方法の動作について、マイクロコンピュータを用いてソフトウェアにより実現する場合を例に説明する。
【００８７】
先ず、図５に示されたフローチャートを用いてヘッド制御器１２と電源監視器１５の動作を説明する。
【００８８】
ステップＳ１では、電源監視器１５の出力するリトラクト指令ｃｒを読み込む。
【００８９】
ステップＳ２では、リトラクト指令ｃｒが”Ｈ”レベルか否かを判定する。リトラクト指令ｃｒが”Ｌ”レベルのときは、磁気ディスク装置に供給されている電源は正常であるので、ステップＳ３に移行し、逆に、リトラクト指令ｃｒが”Ｈ”レベルのときは、電源供給が停止された異常状態と判断し、ステップＳ４に移行する。
【００９０】
ステップＳ３では、位置検出器１４の出力する位置信号ｄを読み込み、ステップＳ５に移行する。
【００９１】
ステップＳ５では、ホストシステムからのコマンドが目標トラックまでヘッドを移動させるシークモードであるか、シーク完了後の目標トラックに追従し、データ信号の記録再生を行う追従モードかを判定する。シークモードのときは、ステップＳ６に移行し、追従モードのときはステップＳ９に移行する。
【００９２】
ステップＳ６では、ステップＳ３で取り込んだ位置信号ｄをもとに、図３に示されたヘッド制御器１２のブロック図にしたがってシーク制御信号ｕｓを計算する。
【００９３】
続いて、ステップＳ７では、電圧検出器１１の出力する電圧信号Ｖａを読み込み、ステップＳ８では、ステップＳ７において読み込んだ電圧信号Ｖａをマイクロコンピュータ内部に設けられた電圧記憶手段であるメモリーに保存する。
【００９４】
ステップＳ９では、ステップＳ３で取り込んだ位置信号ｄをもとに、追従制御信号ｕｆを計算する。
【００９５】
ステップＳ８またはステップＳ９の後、ステップＳ１０では、制御信号ｕ（ｕ＝ｕｓ、またはｕ＝ｕｆ）を駆動器１０へ出力する。
【００９６】
その後、ステップＳ１に戻りＳ１〜Ｓ１０の各ステップを繰り返す。
【００９７】
ステップＳ２で、リトラクト指令ｃｒが”Ｈ”レベルのときは、電源供給が停止された異常状態と判断し、ステップＳ４において、磁気ディスク１上の磁気ヘッド２をランプブロック９まで退避させるリトラクト処理を行う。
【００９８】
次に、図６に示されたフローチャートを用いてリトラクト制御器１３の動作を説明する。
【００９９】
ステップＳ１１では、図５におけるステップＳ８でマイクロコンピュータ内部のメモリーに保存した電圧信号Ｖａをもとに、磁気ヘッド２をリトラクトさせるのに必要な第１のリトラクト電圧Ｖ１を計算する。
【０１００】
ステップＳ１２では、リトラクト制御信号ｕｒを駆動器１０へ出力し、駆動器１０に含まれるリトラクト電源３７の出力電圧がステップＳ１１で求めた第１のリトラクト電圧Ｖ１に等しくなるように、電圧制御手段である定電圧回路４３によりリトラクト電源３７の出力電圧の電圧制御を行う。
【０１０１】
ステップＳ１２の処理の後、ステップＳ１３へ移行し、ステップＳ１３では、図５におけるステップＳ３で読み込んだ位置信号ｄをもとに、リトラクト開始直前の磁気ヘッド２の現在位置からランプブロック９の始端（図２における第２の斜面２４）までの距離Ｌを計算する。
【０１０２】
ステップＳ１４では、磁気ヘッド２がステップＳ１３において計算された距離Ｌを移動するのに必要な時間Ｔ１を計算する。
【０１０３】
ステップＳ１４の処理の後、ステップＳ１５へ移行し、ステップＳ１５では、所定の時間Ｔ１が経過するまで待機する。すなわち、図６におけるリトラクト処理では、リトラクト電源３７が一定時間Ｔ１だけ第１のリトラクト電圧Ｖ１を出力するように制御を行う。
【０１０４】
ステップＳ１５で所定の時間Ｔ１が経過した後、ステップＳ１６へ移行する。ステップＳ１６では、ステップＳ１１と同様に、図５に示されたステップＳ８でのマイクロコンピュータ内部のメモリーに保存した電圧信号Ｖａをもとに、磁気ヘッド２をリトラクトさせるのに必要な第２のリトラクト電圧Ｖ２を計算する。第２のリトラクト電圧Ｖ２は、第１のリトラクト電圧Ｖ１よりも大きい値である。
【０１０５】
ステップＳ１７では、リトラクト制御信号ｕｒを駆動器１０へ出力し、駆動器１０に含まれるリトラクト電源３７の出力電圧が、ステップＳ１６で求めた第２のリトラクト電圧Ｖ２となるように、定電圧回路４３の電圧制御を行う。
【０１０６】
図５におけるステップＳ２で、リトラクト指令ｃｒが”Ｈ”レベルで電源供給が停止された異常状態と判断されたときは、図６に示されたステップＳ１１〜Ｓ１７の処理を行い、磁気ディスク１上の磁気ヘッド２をランプブロック９まで退避させ、リトラクト処理を完了する。
【０１０７】
なお、ロード・アンロード機構を有しないディスク装置では、電源停止直後に低い電圧でヘッドスライダがディスク面上をほぼ一定の速度でデータ領域外のＣＳＳ退避領域まで移送させるだけでよいので、図６に示されたステップＳ１３〜Ｓ１７までの操作はなくてもよい。
【０１０８】
上述のように、電源監視器１５が磁気ディスク装置に供給される電源が正常であるか否かを常に監視し、電源供給が正常であるときは、位置検出器１４、ヘッド制御器１２および駆動器１０により磁気ヘッド２を目標トラックまで移動させるシーク制御と目標トラックへの追従制御とを行う。
【０１０９】
一方、磁気ディスク装置への電源供給が停止され、電源監視器１５が電源が異常であると判断し、リトラクト指令ｃｒを駆動器１０へ出力したときは、リトラクト制御器１３が作動し、磁気ディスク１上の磁気ヘッド２をデータ領域外のＣＳＳ退避領域まで移動させたり、またはロード・アンロード機構を有する磁気ディスク装置であれば磁気ディスク１の外周縁の外側のランプブロック９まで磁気ヘッド２を退避させる。
【０１１０】
次に、ディスク装置の動作について説明する。
【０１１１】
図７は、磁気ディスク装置におけるシーク制御時の動作を説明するための波形図である。
【０１１２】
図７（ａ）は、図３に示されたヘッド制御器１２に含まれる速度パターン発生器５３が発生するシーク速度指令ｖｒを示す。図７（ａ）に示すように、シーク速度指令ｖｒは台形波状のパターンで、時刻ｔ１から一定の加速度で加速し、時刻ｔ２から時刻ｔ３までは一定速度Ｖｓｅｅｋで移動する。時刻ｔ３からは一定の加速度で減速が行われ、シーク動作完了の時刻ｔ４以降からはアクチュエータ７による目標トラックへのトラック追従制御を行い、磁気ヘッド２は目標トラックに対してデータの記録再生を行う。
【０１１３】
図７（ｂ）は、高温時におけるシーク制御時の電圧検出器１１のＶＣＭ駆動の電圧信号Ｖａを示す。一定速度Ｖｓｅｅｋでヘッドが移動する時刻ｔ２から時刻ｔ３までの間は、ほぼ一定の電圧Ｖａ（Ｈ）を出力する。
【０１１４】
同様に、図７（ｃ）および図７（ｄ）はそれぞれ常温時および低温時におけるシーク制御時の電圧検出器１１のＶＣＭ駆動の電圧信号Ｖａ（Ｍ）およびＶａ（Ｌ）を示す。図７（ｂ）における駆動電圧Ｖａ（Ｈ）、図７（ｃ）における駆動電圧Ｖａ（Ｍ）および図７（ｄ）における駆動電圧Ｖａ（Ｌ）をそれぞれ比較すると、磁気ディスク装置の環境温度が低下するにつれて電圧信号Ｖａは大きな値に変化することがわかる。この主な原因は、アクチュエータ７を回転自在に支持する軸受４の粘性抵抗が温度により変化するためであって、低温になればなるほど粘性抵抗が大きくなるからである。
【０１１５】
磁気ディスク装置を使用している環境温度において、図１における電圧検出器１１が出力する電圧信号Ｖａは、図５に示されたフローチャートのステップＳ７において、時刻ｔ２から時刻ｔ３の一定速度Ｖｓｅｅｋで移動しているタイミングで読み込まれ、読み込んだ電圧信号ＶａはステップＳ８でメモリーに保存され、そのメモリーに保存された電圧信号Ｖａから、図６のフローチャートのステップＳ１１において、リトラクト動作のための第１のリトラクト電圧Ｖ１と、ステップＳ１６において、リトラクト動作のための第２のリトラクト電圧Ｖ２とが算出される。そして、電源遮断時には、使用している環境温度に応じて、電圧信号ＶａがステップＳ８でメモリーに保存されることになり、環境温度に対応した第１のリトラクト電圧Ｖ１と、第２のリトラクト電圧Ｖ２とが算出されることになる。したがって、上述のＶａ（Ｈ）、Ｖａ（Ｍ）およびＶａ（Ｌ）は、高温、常温あるいは低温のそれぞれの或る温度におけるそれぞれの温度に対応した電圧信号を示すものであって、磁気ディスク装置を使用している環境温度に応じてそれらの値は変わるものであり、図７（ｂ）〜図７（ｄ）に図示されたＶａ（Ｈ）、Ｖａ（Ｍ）およびＶａ（Ｌ）のグラフはそれぞれ高温時、常温時および低温時における電圧信号Ｖａの一例に過ぎない。
【０１１６】
図８は、磁気ディスク装置を使用している環境温度が常温のときの磁気ディスク装置におけるリトラクト動作を示す各部の波形図である。
【０１１７】
図８（ａ）は、図４に示されたリトラクト用コンデンサ４２の放電電圧波形であり、時刻Ｔ１まではＶＣＭには比較的低い電圧が印加されるため、リトラクト用コンデンサ４２は徐々に放電され、時刻Ｔ１において一気に放電される。
【０１１８】
図８（ｂ）は、ＶＣＭに印加される駆動電圧の波形で、時刻Ｔ１までは、リトラクト用コンデンサ４２の放電電圧を定電圧回路４３（図４参照）により、第１のリトラクト電圧Ｖ１（一定電圧）に変換される。時刻Ｔ１以降は第２のリトラクト電圧Ｖ２に制御され、ｐ−ＦＦＴ４４（図４参照）を介して駆動コイル５にそれぞれの駆動電圧が印加される。なお、第１のリトラクト電圧Ｖ１は、上述のように、図５のフローチャートのステップＳ８でメモリーに保存されたシークモードにおける電圧検出器１１からの出力である電圧信号Ｖａから、図６のフローチャートのステップＳ１１において、算出された値である。
【０１１９】
常温における第１のリトラクト電圧Ｖ１は（式１）で表される。
【０１２０】
Ｖ１＝Ｖａ（Ｍ）＋（ｒｐ＋ｒｎ）×Ｉａ      （式１）
ただし、Ｖａ（Ｍ）は、常温時において電圧検出器１１で検出され、メモリーに保存された電圧信号、ｒｐはｐ−ＦＥＴ４４のオン抵抗、ｒｎはｎ−ＦＥＴ３２ｂのオン抵抗である。
【０１２１】
したがって、図４に示されるリトラクト電源３７が第１のリトラクト電圧Ｖ１を出力しているときは、駆動コイル５の両端には、ｐ−ＦＥＴ４４のオン抵抗ｒｐとｎ−ＦＥＴ３２ｂのオン抵抗ｒｎの電圧降下分（ｒｐ＋ｒｎ）×Ｉａを第１のリトラクト電圧Ｖ１から差し引いた一定電圧Ｖａ（Ｍ）が加わることになる。時刻Ｔ１経過後には、リトラクト電源３７はメモリーに保存された電圧信号Ｖａ（Ｍ）をもとに算出された第２のリトラクト電圧Ｖ２に制御される。
【０１２２】
一方、時刻Ｔ１から、リトラクト用コンデンサ４２の充電電圧が放電により第２のリトラクト電圧Ｖ２と略一致する時刻Ｔ２までは駆動電圧はＶ２の一定値であるが、リトラクト用コンデンサ４２の充電電圧が放電により第２のリトラクト電圧Ｖ２よりも低下する時刻Ｔ２以降は、ＶＣＭに印加される駆動電圧はリトラクト用コンデンサ４２の充電電圧とともに急速に低下する。
【０１２３】
時刻Ｔ１までの期間は、リトラクト電源３７が第１のリトラクト電圧Ｖ１を出力し、駆動コイル５の両端には一定電圧Ｖａ（Ｍ）が加わることになり、この一定電圧Ｖａ（Ｍ）は、ヘッドを一定速度Ｖｓｅｅｋで移動させたときの駆動コイル５の両端の電圧に等しいので、逆に、駆動コイル５の両端に加わる電圧が一定電圧Ｖａ（Ｍ）となるように制御すれば、磁気ヘッド２は一定速度Ｖｓｅｅｋで移動することになる。
【０１２４】
その結果、ヘッドの移動速度は、図８（ｄ）に示すように、時刻Ｔ１まではほぼ一定の速度となり、ヘッド速度を時間積分して得られるヘッド位置は、図８（ｃ）に示すように、時刻Ｔ１までは時間に対してほぼ直線的に増加する。
【０１２５】
ヘッドの移動速度は、時刻Ｔ１まではほぼ一定速度Ｖｓｅｅｋであるため、時刻Ｔ１は（式２）で表される。
【０１２６】
Ｔ１＝Ｌ／Ｖｓｅｅｋ        （式２）
ここで、Ｌはリトラクト開始直前の磁気ヘッド２の現在位置からランプブロック９の始端（図２における第２の斜面２４）までの距離を示す。
【０１２７】
リトラクト用コンデンサ４２は時刻Ｔ１において一気に放電されるので、時刻Ｔ１以降においては磁気ヘッド２は急加速され、外周ストッパー２５に衝突し、リトラクト動作を完了する。
【０１２８】
なお、時刻Ｔ１以降は第２のリトラクト電圧Ｖ２より大きな電圧が加わらないように制御されるので、ＶＣＭが過大に加速され、磁気ヘッド２がランプブロック９を越えて外周ストッパー２５で跳ね返されて、磁気ヘッド２が再び磁気ディスク１上に飛び出し、磁気ディスク１に吸着するというようなことはない。
【０１２９】
図９は、磁気ディスク装置を使用している環境温度が低温の場合におけるリトラクト動作を示す各部の波形図である。
【０１３０】
図９（ｂ）において、図９（ａ）に示されたリトラクト用コンデンサ４２の放電電圧を定電圧回路４３により変換した低温における第１のリトラクト電圧Ｖ１は（式３）で表される。
【０１３１】
Ｖ１＝Ｖａ（Ｌ）＋（ｒｐ＋ｒｎ）×Ｉａ      （式３）
ただし、Ｖａ（Ｌ）は、低温時において電圧検出器１１で検出され、メモリーに保存された電圧信号、ｒｐはｐ−ＦＥＴ４４のオン抵抗、ｒｎはｎ−ＦＥＴ３２ｂのオン抵抗である。また、低温時の電圧信号Ｖａ（Ｌ）は、常温における電圧信号Ｖａ（Ｍ）に比べて非常に大きい値となる（図７（ｃ）および図７（ｄ）参照）。
【０１３２】
低温時において、リトラクト電源３７が第１のリトラクト電圧Ｖ１を出力しているときは駆動コイル５の両端には、ｐ−ＦＥＴ４４のオン抵抗ｒｐとｎ−ＦＥＴ３２ｂのオン抵抗ｒｎの電圧降下分（ｒｐ＋ｒｎ）×Ｉａを差し引いた一定電圧Ｖａ（Ｌ）が加わることになる。
【０１３３】
一定電圧Ｖａ（Ｌ）は、ヘッドを一定速度Ｖｓｅｅｋで移動させたときの駆動コイル５の両端の電圧に等しい。したがって、駆動コイル５の両端に加わる電圧が一定電圧Ｖａ（Ｌ）となるように制御すれば、上述の図８（ｄ）の場合と同様に、磁気ディスク１上にある磁気ヘッド２は一定速度Ｖｓｅｅｋで移動することになる。
【０１３４】
その結果、ヘッドの移動速度は、図９（ｄ）に示すように、時刻Ｔ１まではほぼ一定の速度Ｖｓｅｅｋとなり、ヘッド速度を時間積分して得られるヘッド位置は、図９（ｃ）に示すように、時刻Ｔ１までは時間に対してほぼ直線的に増加する。
【０１３５】
低温時の電圧信号Ｖａ（Ｌ）は、常温における電圧信号Ｖａ（Ｍ）に比べて非常に大きい値なので、リトラクト用コンデンサ４２からは常温のときに比べ大きな電流が放電される。その結果、図９（ａ）の放電電圧波形は、上述の図８（ａ）に比べて時刻Ｔ１までの傾斜が急である。なお、時刻Ｔ１ではリトラクト用コンデンサ４２の充電電圧は、第２のリトラクト電圧Ｖ２より小さくなっているので、上述の図８（ｂ）に見られるような一定値Ｖ２の期間はない。
【０１３６】
したがって、磁気ヘッド２がランプブロック９の斜面に位置した状態において、バックアップ用コンデンサ４２の放電が行われるため、低温時においても、磁気ヘッド２が磁気ディスク１上を高速移動することはなく、ヘッドスライダの浮上が不安定となることによる磁気ディスク１および磁気ヘッド２の損傷が発生するというようなことはない。
【０１３７】
なお、本実施の形態の磁気ディスク装置においては、電源供給が停止されたときに、低い電圧で磁気ヘッド２をランプブロック９まで移送し、磁気ヘッド２がランプブロック９に接触した状態で停止させる第１段階において、リトラクト用コンデンサ４２から駆動器１０に電流を供給するように構成したが、スピンドルモータの逆起電力を整流して生成された駆動電圧をＶＣＭに供給するように構成してもよい。
【０１３８】
また、本実施の形態の磁気ディスク装置では、リトラクト開始直前の磁気ヘッド２の現在位置からランプブロック９の始端までの距離Ｌを計算し、上述の（式２）で求められる期間Ｔ１の間だけ、低い電圧で磁気ヘッド２をランプブロック９まで移送するように構成したが、磁気ディスク１を半径方向に複数のゾーンに分割し、電源遮断時に磁気ヘッド２の位置するゾーンをもとに、期間Ｔ１を設定するように構成してもよい。この場合、各ゾーン毎にあらかじめ期間Ｔ１が登録されたテーブルを用いることで、より簡単に期間Ｔ１を決定することができる。
【０１３９】
また、本実施の形態にかかる磁気ディスク装置およびそれに用いるリトラクト制御方法については、マイクロコンピュータによるソフトウェアにより実現するものとして説明したが、電子回路等によるハードウェアで構成してもよい。
【０１４０】
また、本実施の形態では、ディスク装置として磁気ディスク装置を例にとって説明したが、磁気ディスク装置に限ることはなく、他の浮上型のヘッドおよびディスクを有するディスク装置、例えば、光ディスク装置、光磁気ディスク装置等、あるいは他の態様の情報記録装置に対しても用いることができる。
【０１４１】
以上のように本実施の形態によれば、磁気ディスク装置が使用される環境温度が変化しても、電源停止直後に、磁気ディスク面上をほぼ一定の速度で、データ領域外のＣＳＳ退避領域までヘッドスライダを移送できる。あるいは、ロード・アンロード機構を有する磁気ディスク装置に対しては、ランプブロックまで磁気ヘッドを搭載したヘッドスライダが移送される。したがって、ヘッドスライダの浮上が安定となり、磁気ディスクおよびヘッドの損傷を発生することもなく、電源遮断時のリトラクト動作を安定、かつ確実に行うことができる。
【０１４２】
また、磁気ヘッドのシーク動作時における電圧信号の値を電圧記憶手段に記憶しておき、記憶された電圧信号の値に応じた制御信号を生成し、かつその制御信号を電源の遮断時に出力するため、磁気ディスク装置の温度を検出する温度センサを特別に設ける必要がない。したがって、回路実装面積を増加させることがなく、また回路コストを低減させることができる。
【０１４３】
また、低い電圧でヘッドスライダをランプブロックまで移送させ、ランプ斜面に接触した状態で停止させるリトラクト動作の第１段階の後に、ヘッドスライダをランプブロック終端までアンロードさせる第２段階において、ＶＣＭに供給する電圧を適当な値に制限することにより、ランプブロックにおける外周ストッパーで跳ね返されて、磁気ヘッドが再び磁気ディスク上に飛び出すようなことがなくなる。この結果、磁気ヘッドが再び磁気ディスク上に吸着することもなく、電源供給停止時のリトラクト動作の信頼性を向上させた磁気ディスク装置およびそれに用いるリトラクト制御方法を実現することができる。
【産業上の利用可能性】
【０１４４】
本発明にかかるディスク装置は、電源供給が停止されたときに磁気ヘッドをディスクから安定に退避させるのに有用であり、磁気ディスク装置だけでなく、光ディスク装置、光磁気ディスク装置等、他の態様の情報記録に用いる装置分野に有用である。
【図面の簡単な説明】
【０１４５】
【図１】本発明の実施の形態における磁気ディスク装置の構成を示すブロック図
【図２】同実施の形態における磁気ディスク装置のアームのサスペンションタブがタブ保持面を摺動するランプブロックを説明するための断面図
【図３】同実施の形態における磁気ディスク装置のヘッド制御器の構成を示すブロック図
【図４】同実施の形態における磁気ディスク装置の駆動器の一例を示す回路構成図
【図５】同実施の形態の磁気ディスク装置におけるヘッド制御器と電源監視器の動作を説明するためのフローチャート
【図６】同実施の形態の磁気ディスク装置におけるリトラクト制御器の動作を説明するためのフローチャート
【図７】（ａ）は同実施の形態における磁気ディスク装置におけるシーク制御時のシーク速度指令を示す波形図、（ｂ）は同シーク制御時のＶＣＭ駆動の電圧信号を示す波形図、（ｃ）は同シーク制御時のＶＣＭ駆動の電圧信号を示す波形図、（ｄ）は同シーク制御時のＶＣＭ駆動の電圧信号を示す波形図
【図８】（ａ）は同実施の形態における磁気ディスク装置における環境温度が常温のときのリトラクト動作中のリトラクト用コンデンサの放電電圧を示す波形図、（ｂ）は同環境温度が常温のときのリトラクト動作中のＶＣＭに印加される駆動電圧を示す波形図、（ｃ）は同環境温度が常温のときのリトラクト動作中のヘッド位置を示す波形図、（ｄ）は同環境温度が常温のときのリトラクト動作中のヘッドの移動速度を示す波形図
【図９】（ａ）は同実施の形態における磁気ディスク装置における環境温度が低温のときのリトラクト動作中のリトラクト用コンデンサの放電電圧を示す波形図、（ｂ）は同環境温度が低温のときのリトラクト動作中のＶＣＭに印加される駆動電圧を示す波形図、（ｃ）は同環境温度が低温のときのリトラクト動作中のヘッド位置を示す波形図、（ｄ）は同環境温度が低温のときのリトラクト動作中のヘッドの移動速度を示す波形図
【図１０】（ａ）は従来のディスク装置における環境温度が低温のときのリトラクト動作中のリトラクト用コンデンサの放電電圧を示す波形図、（ｂ）は同環境温度が低温のときのリトラクト動作中のＶＣＭに印加される駆動電圧を示す波形図、（ｃ）は同環境温度が低温のときのリトラクト動作中のヘッド位置を示す波形図、（ｄ）は同環境温度が低温のときのリトラクト動作中のヘッドの移動速度を示す波形図
【符号の説明】
【０１４６】
１    磁気ディスク
２    磁気ヘッド
３    アーム
３ａ    サスペンションタブ
４    軸受
５    駆動コイル
６    固定子
７    アクチュエータ
９    ランプブロック（ヘッド退避部材）
１０    駆動器（駆動手段）
１１    電圧検出器（電圧検出手段）
１２    ヘッド制御器
１３    リトラクト制御器（リトラクト制御手段）
１４    位置検出器
１５    電源監視器
２１    第１の平面
２２    第１の斜面
２３    第２の平面
２４    第２の斜面
２５    外周ストッパー
３１ａ，３１ｂ，４４    ｐチャネル電界効果型トランジスタ（ｐ−ＦＥＴ）
３２ａ，３２ｂ    ｎチャネル電界効果型トランジスタ（ｎ−ＦＥＴ）
３３    電流検出抵抗
３４    増幅器
３５    ブリッジ制御回路
３６    電源
３７    リトラクト電源
４１    昇圧回路（昇圧手段）
４２    リトラクト用コンデンサ
４３    定電圧回路（電圧制御手段）
４５    スイッチ制御回路
５１    速度変換器
５２    比較器
５３    速度パターン発生器
５４    シーク制御器
５５    追従制御器
５６    モード切換スイッチ
ｃｒ    リトラクト指令
ｄ    位置信号
Ｉａ    駆動電流
Ｌ    距離
ｐ    トラック信号
ｒｎ，ｒｐ    オン抵抗
ｔ１，Ｔ１，ｔ２，Ｔ２，ｔ３，ｔ４    時刻（時間）（期間）
ｕ    制御信号
ｕｆ    追従制御信号
ｕｒ    リトラクト制御信号
ｕｓ    シーク制御信号
ｖ    移動速度
Ｖ１    第１のリトラクト電圧
Ｖ２    第２のリトラクト電圧
Ｖａ    電圧信号
Ｖａ（Ｈ），Ｖａ（Ｌ），Ｖａ（Ｍ）    電圧（電圧信号）
Ｖｍ    電圧
Ｖｓｅｅｋ    速度
ｖｒ    シーク速度指令
【図１】
2006323930.tif 000003
【図２】
2006323930.tif 000004
【図３】
2006323930.tif 000005
【図４】
2006323930.tif 000006
【図５】
2006323930.tif 000007
【図６】
2006323930.tif 000008
【図７】
2006323930.tif 000009
【図８】
2006323930.tif 000010
【図９】
2006323930.tif 000011
【図１０】
2006323930.tif 000012